(57)【要約】【課題】電子機器の遠隔制御を指令したユーザに対してより確実な制御結果を通知すること。【解決手段】携帯電話機１０において入力された電子機器に対する遠隔制御指令は、移動パケット通信網２０および携帯電話機３０を介してホームサーバ４０へ送信される。ホームサーバ４０は、受信した遠隔制御指令に従って電子機器を制御する。また、ユーザ宅内に設置された携帯電話機３０は、携帯電話機１０とホームサーバ４０とのパケット通信を中継するとともに。遠隔制御後の電子機器の状態を示す画像を撮像して携帯電話機１０へ送信する。携帯電話機１０の液晶表示部には、制御結果として携帯電話機３０により撮像された画像が表示される。【選択図】　　　図１
2004096397.tif 000002
【特許請求の範囲】
【請求項１】
通信端末がホームサーバの配下の電子機器を遠隔制御するための指令をネットワークを介して前記ホームサーバに送信する指令過程と、
前記ホームサーバが前記指令過程にて送信された指令に従って前記電子機器を制御する制御過程と、
監視装置が前記制御過程により制御された電子機器の状態を示す画像を撮像する第１の撮像過程と、
前記監視装置が前記第１の撮像過程にて撮像された画像を前記通信端末へ送信する送信過程と、
前記通信端末が前記送信過程にて送信された画像を表示する表示過程と
を有することを特徴とする電子機器の遠隔制御方法。
【請求項２】
前記制御過程に先立って行われる過程であって、
前記監視装置が前記電子機器の状態を示す画像を撮像する第２の撮像過程をさらに有し、
前記送信過程では、前記監視装置が前記第１の撮像過程および前記第２の撮像過程にて撮像された各画像を前記通信端末へ送信する
ことを特徴とする請求項１に記載の電子機器の遠隔制御方法。
【請求項３】
前記監視装置と前記ホームサーバは、データ通信を行うことが可能であり、
前記送信過程では、前記監視装置により撮像された画像を前記ホームサーバが前記通信端末へ送信する
ことを特徴とする請求項１または２に記載の電子機器の遠隔制御方法。
【請求項４】
通信端末がホームサーバの配下の電子機器を遠隔制御するための指令をネットワークを介して前記ホームサーバに送信する指令過程と、
前記ホームサーバが前記指令過程にて送信された指令に従って前記電子機器を制御する制御過程と、
監視装置が、前記制御過程により制御された電子機器の状態を示す画像を撮像する撮像過程と、
前記監視装置が前記撮像過程にて撮像された画像を前記ホームサーバへ送信する送信過程と、
前記ホームサーバが前記送信過程にて送信された画像を蓄積する蓄積過程と、前記通信端末が、前記蓄積過程にてホームサーバに蓄積された画像をネットワークを介して取得し、当該画像を表示する表示過程と
を有することを特徴とする電子機器の遠隔制御方法。
【請求項５】
通信端末がホームサーバの配下の電子機器を遠隔制御するための指令をネットワークを介して前記ホームサーバに送信する指令過程と、
前記ホームサーバが前記指令過程にて送信された指令に従って前記電子機器を制御する制御過程と、
監視装置が、前記制御過程により制御された電子機器の状態を示す画像を撮像する撮像過程と、
前記監視装置が前記撮像過程にて撮像された画像をネットワークを介して蓄積サーバへ送信する送信過程と、
前記蓄積サーバが前記送信過程にて送信された画像を蓄積する蓄積過程と、
前記通信端末が、前記蓄積過程にて蓄積サーバに蓄積された画像をネットワークを介して取得し、当該画像を表示する表示過程と
を有することを特徴とする電子機器の遠隔制御方法。
【請求項６】
前記監視装置は画像撮像機能を有する携帯電話機である
ことを特徴とする請求項１ないし５のいずれか１の請求項に記載の電子機器の遠隔制御方法。
【請求項７】
前記携帯電話機は、さらに、前記通信端末と前記ホームサーバとの通信を中継する
ことを特徴とする請求項６に記載の電子機器の遠隔制御方法。
【請求項８】
前記画像は、静止画像である
ことを特徴とする請求項１ないし７のいずれか１の請求項に記載の電子機器の遠隔制御方法。
【請求項９】
前記画像は、動画像である
ことを特徴とする請求項１ないし７のいずれか１の請求項に記載の電子機器の遠隔制御方法。
【請求項１０】
通信端末がホームサーバの配下の電子機器を遠隔制御するための指令をネットワークを介して前記ホームサーバに送信する指令過程と、
前記ホームサーバが前記指令過程にて送信された指令に従って前記電子機器を制御する制御過程と、
監視装置が、前記制御過程による電子機器の制御前から制御後にかけて録画した前記電子機器の状態を示す映像を前記通信端末へ送信する送信過程と、
前記通信端末が前記送信過程にて送信された映像を表示する表示過程と
を有することを特徴とする電子機器の遠隔制御方法。
【請求項１１】
通信端末がホームサーバの配下の電子機器を遠隔制御するための指令をネットワークを介して前記ホームサーバに送信する指令過程と、
前記ホームサーバが前記指令過程にて送信された指令に従って前記電子機器を制御する制御過程と、
監視装置が、前記制御過程による電子機器の制御前から制御後にかけて録画した前記電子機器の状態を示す映像を前記ホームサーバへ送信する送信過程と、
前記ホームサーバが前記送信過程にて送信された映像を蓄積する蓄積過程と、前記通信端末が、前記蓄積過程にてホームサーバに蓄積された映像をネットワークを介して取得し、当該映像を表示する表示過程と
を有することを特徴とする電子機器の遠隔制御方法。
【請求項１２】
通信端末がホームサーバの配下の電子機器を遠隔制御するための指令をネットワークを介して前記ホームサーバに送信する指令過程と、
前記ホームサーバが前記指令過程にて送信された指令に従って前記電子機器を制御する制御過程と、
監視装置が、前記制御過程による電子機器の制御前から制御後にかけて録画した前記電子機器の状態を示す映像をネットワークを介して蓄積サーバへ送信する送信過程と、
前記蓄積サーバが前記送信過程にて送信された映像を蓄積する蓄積過程と、
前記通信端末が、前記蓄積過程にて蓄積サーバに蓄積された映像をネットワークを介して取得し、当該映像を表示する表示過程と
を有することを特徴とする電子機器の遠隔制御方法。
【請求項１３】
前記送信過程では、さらに、前記監視装置が前記制御過程による電子機器の制御前から制御後にかけて録音した前記電子機器の状態を示す音声を前記通信端末へ送信し、
前記送信過程の後に行われる過程であって、
前記通信端末が前記送信過程にて送信された音声を出力する音声出力過程をさらに有する
ことを特徴とする請求項１０に記載の電子機器の遠隔制御方法。
【請求項１４】
通信端末がホームサーバの配下の電子機器を遠隔制御するための指令をネットワークを介して前記ホームサーバに送信する指令過程と、
監視装置が、前記指令過程にて送信された指令に応じて前記電子機器の状態を示す映像の中継を前記通信端末に対して開始する中継開始過程と、
前記通信端末が前記中継開始過程にて中継が開始された映像の表示を開始する表示開始過程と、
前記ホームサーバが前記通知過程にて通知された指令に従って前記電子機器を制御する制御過程と
を有することを特徴とする電子機器の遠隔制御方法。
【請求項１５】
前記中継開始過程では、さらに、前記監視装置が、前記通知過程にて通知された指令に応じて前記電子機器の状態を示す音声の中継を前記通信端末に対して開始し、
前記中継開始過程と前記制御過程の間に行われる過程であって、
前記通信端末が前記中継開始過程にて中継が開始された音声の出力を開始する音声出力開始過程をさらに有する
ことを特徴とする請求項１４に記載の電子機器の遠隔制御方法。
【発明の詳細な説明】
【発明の属する技術分野】
【０００１】
この発明は、例えば、家電製品などの電子機器を遠隔制御するための技術に関する。
【０００２】
【従来の技術】
現代社会において家庭内には、エアコン、照明器具、ビデオデッキ、テレビなどの各種電子機器が存在する。近年、家庭内のこれらの電子機器を通信ケーブルにより接続してホームネットワークを構築し、このネットワーク内に設けられたホームサーバから電子機器を制御するためのネット家電（ディジタル家電とも呼ばれる）に関する構想やそのための規格が各種提案されている。また、携帯端末などを利用してホームサーバにアクセスすることにより、外出先から家庭内の電子機器を遠隔制御するための技術も各種提案されている。
【０００３】
【発明が解決しようとする課題】
ところで、例えば、外出先から携帯端末によりホームサーバにアクセスして電子機器の遠隔制御を行う場合、ユーザに対する制御結果の通知は、ホームサーバから送られてくる制御結果を示す文字情報を携帯端末の表示画面に表示させることによって行われる。例えば、遠隔制御により自宅内の照明を消灯状態から点灯状態に切換えた場合、図１５に示されるように、携帯端末の表示画面は、図１５（ａ）に示される画面から図１５（ｂ）に示される画面に切換わる。この図１５（ｂ）に示される画面の表示により、照明が点灯状態に切換わったことが文字情報によりユーザに通知される。
【０００４】
しかしながら、このように制御結果が文字情報として表示されるだけでは、人間の心理として本当にその制御結果の通り電子機器が動作したのか決定的な確認が取れない。携帯端末を用いて遠隔制御を指令したユーザは、実際に電子機器を見て、本当に自己が要求した指令通り電子機器が動作したのか確認をしたいという要求がある。
【０００５】
本発明は、以上説明した事情に鑑みてなされたものであり、電子機器の遠隔制御を指令したユーザに対してより確実な制御結果を通知することのできる電子機器の遠隔制御方法を提供することを目的としている。
【０００６】
【課題を解決するための手段】
上記課題を解決するために、この発明の電子機器の遠隔制御方法は、通信端末がホームサーバの配下の電子機器を遠隔制御するための指令をネットワークを介して前記ホームサーバに送信する指令過程と、前記ホームサーバが前記指令過程にて送信された指令に従って前記電子機器を制御する制御過程と、監視装置が前記制御過程により制御された電子機器の状態を示す画像を撮像する第１の撮像過程と、前記監視装置が前記第１の撮像過程にて撮像された画像を前記通信端末へ送信する送信過程と、前記通信端末が前記送信過程にて送信された画像を表示する表示過程とを有する。
【０００７】
したがって、この発明の電子機器の遠隔制御方法によれば、電子機器の遠隔制御元となる通信端末には、遠隔制御後に監視装置によって撮像された電子機器の状態を示す画像が表示される。
【０００８】
また、この発明の電子機器の遠隔制御方法は、通信端末がホームサーバの配下の電子機器を遠隔制御するための指令をネットワークを介して前記ホームサーバに送信する指令過程と、前記ホームサーバが前記指令過程にて送信された指令に従って前記電子機器を制御する制御過程と、監視装置が、前記制御過程により制御された電子機器の状態を示す画像を撮像する撮像過程と、前記監視装置が前記撮像過程にて撮像された画像を前記ホームサーバへ送信する送信過程と、前記ホームサーバが前記送信過程にて送信された画像を蓄積する蓄積過程と、前記通信端末が、前記蓄積過程にてホームサーバに蓄積された画像をネットワークを介して取得し、当該画像を表示する表示過程とを有する。
【０００９】
したがって、この発明の電子機器の遠隔制御方法によれば、電子機器の遠隔制御元となる通信端末は、遠隔制御後に監視装置によって撮像された電子機器の状態を示す画像をネットワークを介してホームサーバから取得し、当該画像を表示する。なお、監視装置によって撮像された画像は、ホームサーバ以外の、ネットワークに接続されたサーバに蓄積される構成であってもよい。
【００１０】
また、この発明の電子機器の遠隔制御方法は、通信端末がホームサーバの配下の電子機器を遠隔制御するための指令をネットワークを介して前記ホームサーバに送信する指令過程と、前記ホームサーバが前記指令過程にて送信された指令に従って前記電子機器を制御する制御過程と、監視装置が、前記制御過程による電子機器の制御前から制御後にかけて録画した前記電子機器の状態を示す映像を前記通信端末へ送信する送信過程と、前記通信端末が前記送信過程にて送信された映像を表示する表示過程とを有する。
【００１１】
したがって、この発明の電子機器の遠隔制御方法によれば、電子機器の遠隔制御元となる通信端末には、遠隔制御前から遠隔制御後にかけて監視装置によって録画された電子機器の状態を示す映像が表示される。なお、監視装置によって録画された映像は、ネットワークに接続されたサーバ（ホームサーバを含む）に蓄積され、通信端末がネットワークを介してサーバから映像を取得して表示する構成であってもよい。
【００１２】
また、この発明の電子機器の遠隔制御方法は、通信端末がホームサーバの配下の電子機器を遠隔制御するための指令をネットワークを介して前記ホームサーバに送信する指令過程と、監視装置が、前記指令過程にて送信された指令に応じて前記電子機器の状態を示す映像の中継を前記通信端末に対して開始する中継開始過程と、前記通信端末が前記中継開始過程にて中継が開始された映像の表示を開始する表示開始過程と、前記ホームサーバが前記通知過程にて通知された指令に従って前記電子機器を制御する制御過程とを有する。
【００１３】
したがって、この発明の電子機器の遠隔制御方法によれば、電子機器の遠隔制御元となる通信端末には、遠隔制御前から遠隔制御後にかけて監視装置によって撮像された電子機器の状態を示す映像が中継される。
【００１４】
【発明の実施の形態】
以下、図面を参照して本発明の実施形態について説明する。なお、各図において共通する部分には、同一の符号が付されている。また、かかる実施形態は本発明の一態様を示すものであり、この発明を限定するものではなく、本発明の範囲で任意に変更可能である。
【００１５】
［Ａ−１．実施形態の構成］
＜１．通信システム全体の構成＞
図１は、この発明の一実施形態に係る通信システム１の構成を例示するブロック図である。同図に示されるように、通信システム１は、携帯電話機１０と、移動パケット通信網２０と、携帯電話機３０と、ホームサーバ４０と、各種電子機器５０ａ〜５０ｆとを有している。この通信システム１では、携帯電話機１０から送信された電子機器に対する遠隔制御の指令（以下、遠隔制御指令と略称する）に従って、ユーザ宅内に設置されたホームサーバ４０が各電子機器５０ａ〜５０ｆの動作を制御する。
【００１６】
なお、図１においては、図面が煩雑になることを防ぐために、移動パケット通信網２０に収容された所定の携帯電話機１０，３０、当該移動パケット通信網２０を構成する所定の基地局２１，２２、所定のホームサーバ４０および当該ホームサーバ４０に接続された所定の電子機器５０ａ〜５０ｆのみが示されている。
【００１７】
携帯電話機１０は、自機が在圏する無線セルをカバーする基地局２１と無線通信を行い、移動パケット通信網２０により提供されるパケット通信サービスを受ける移動機である。この携帯電話機１０は、移動パケット通信網２０および携帯電話機３０を介してホームサーバ４０とパケット通信を行い、ホームサーバ４０に対して遠隔制御指令を送信することができる。また、この携帯電話機１０は、図示を省略しているが、ユーザが各種指令を入力するための操作入力部、画像および情報を表示する液晶表示部、メモリなどを有している。
【００１８】
移動パケット通信網２０は、当該移動パケット通信網２０に収容される携帯電話機１０，３０に対してパケット通信サービスを提供する網であり、基地局２１，２２を有している。基地局２１，２２は、移動パケット通信網２０の通信サービスエリア内に多数設置されており、自局のカバーする無線セルに在圏している携帯電話機１０，３０と無線通信を行う。なお、図面が煩雑となることを避けるために図１では省略しているが、この移動パケット通信網２０は、基地局２１，２２の他にサービス制御局や交換局などを有している。
【００１９】
また、この通信システム１は、移動パケット通信網２０に加え、図示を省略した移動電話網を有している。この移動電話網は、当該移動電話網に収容される携帯電話機１０，３０に対して一般的な移動電話の通話サービスを提供する網である。
【００２０】
携帯電話機３０は、上述した携帯電話機１０と同様に移動パケット通信網２０に収容される移動機であってパケット通信機能を有している。また、この携帯電話機３０は、ローカル無線通信機能としてＢｌｕｅｔｏｏｔｈ（登録商標）をサポートしており、移動パケット通信網２０を介して携帯電話機１０から受信して遠隔制御指令をローカル無線通信機能を利用してホームサーバ４０へ送信する。また、この携帯電話機３０は、画像撮像機能を有し、ホームサーバ４０あるいは携帯電話機１０からの指示に従って画像を撮像し、撮像した画像データをパケット通信により移動パケット通信網２０を介して遠隔制御元の携帯電話機１０へ送信する。
【００２１】
なお、本実施形態において携帯電話機３０が撮像する画像は、主に、遠隔制御の対象となる電子機器５０ａ〜５０ｆそのものの画像、あるいは電子機器５０ａ〜５０ｆの遠隔制御の結果をユーザが知ることのできる画像（例えば、エアコン５０ｄの遠隔制御を行う場合には、室内に設置されているディジタル温度計の温度表示画像など）である。
【００２２】
上述した電子機器５０ａ〜５０ｆの状態を示す画像を撮像するためには、このような画像を撮像することが可能な位置に携帯電話機３０を設置しておく必要がある。したがって、ユーザは、例えば、外出先から照明器具５０ａとテレビ５０ｅの遠隔制御に伴う動作確認を画像を見て行いたい場合には、照明器具５０ａの点灯／消灯状態やテレビ５０ｅの画面が当該携帯電話機３０により撮像される画像に写るように、携帯電話機３０をユーザ宅内に設置しておく。
【００２３】
ホームサーバ４０は、各電子機器５０ａ〜５０ｆとホームバス４５を介して接続されている。このホームサーバ４０は、無線通信機能としてＢｌｕｅｔｏｏｔｈをサポートしており、携帯電話機１０から移動パケット通信網２０および携帯電話機３０を介して送られてくる遠隔制御指令に従って各電子機器５０ａ〜５０ｆの動作を制御する。また、ホームサーバ４０は、各電子機器５０ａ〜５０ｆの制御結果に関する情報などを携帯電話機３０および移動パケット通信網２０を介して携帯電話機１０へ送信する。
【００２４】
このホームサーバ４０により制御される電子機器としては、図１に示されるように、例えば、照明器具５０ａ、ビデオデッキ５０ｂ、オーディオ機器５０ｃ、エアコン５０ｄ、テレビ５０ｅ、洗濯機５０ｆなどがある。これらの各電子機器５０ａ〜５０ｆは、ホームバス４５を介してホームサーバ４０とデータ通信を行う機能を有しており、ホームサーバ４０から受信した操作信号に従って、対応する処理を実行する。なお、ホームサーバ４０により制御可能な電子機器としては、この他にも、例えば、炊飯器、冷蔵庫、給湯器、電子レンジ、電話機、パーソナルコンピュータ、ビデオゲーム機などがある。
【００２５】
＜２．ユーザ宅内の携帯電話機の構成＞
図２は、図１に示された携帯電話機３０のハードウェア構成を例示するブロック図である。同図に示されるように、携帯電話機３０は、無線通信部３０１と、操作入力部３０２と、通話処理部３０３と、撮像部３０４と、無線通信インタフェース３０５と、液晶表示部３０６と、記憶部３０７と、ＣＰＵ３１１とを有しており、これらの各部はバス３１２により接続されている。
【００２６】
無線通信部３０１は、アンテナ３０１ａを備え、基地局２２との間で行われる無線通信を制御する。この無線通信部３０１は、ＣＰＵ３１１の制御の下、例えば送話音声に関するデータやパケット通信用のデータなどを搬送波に重畳して無線信号を生成し、この無線信号をアンテナ３０１ａを介して基地局２２へ送信する。また、無線通信部３０１は、基地局２２から送られてくる無線信号をアンテナ３０１ａを介して受信し、これを復調して自機宛の受話音声に関するデータやパケット通信用のデータなどを得る。
【００２７】
操作入力部３０２は、数字や文字、操作指示などを入力するための複数のキーを有しており、これらのキーの操作に応じた操作信号をＣＰＵ３１１に出力する。通話処理部３０３は、例えばマイクロフォンやスピーカ、音声処理部などを有しており、ＣＰＵ３１１の制御の下、呼接続／切断処理を含む通話処理を行う。
【００２８】
撮像部３０４は、例えば、ＣＣＤカメラ（Ｃｈａｒｇｅ　Ｃｏｕｐｌｅｄ　Ｄｅｖｉｃｅ　ｃａｍｅｒａ）を有し、ＣＰＵ３１１からの指示に応じて被写体の画像を撮像する。無線通信インタフェース３０５は、ホームサーバ４０との間で行われる無線通信（Ｂｌｕｅｔｏｏｔｈ）を制御する。また、液晶表示部３０６は、液晶表示パネルと当該液晶表示パネルの表示制御を行う駆動回路とを有している。
【００２９】
記憶部３０７は、ＲＯＭ（Ｒｅａｄ　Ｏｎｌｙ　Ｍｅｍｏｒｙ）３０８と、ＲＡＭ（Ｒａｎｄｏｍ　Ａｃｃｅｓｓ　Ｍｅｍｏｒｙ）３０９と、例えばＳＲＡＭ（Ｓｔａｔｉｃ−ＲＡＭ）やＥＥＰＲＯＭ（Ｅｌｅｃｔｒｉｃａｌｌｙ　Ｅｒａｓａｂｌｅ　Ｐｒｏｇｒａｍｍａｂｌｅ−ＲＯＭ）などの不揮発性メモリ３１０とを有している。
【００３０】
ＲＯＭ３０８には、ＣＰＵ３１１により実行される各種プログラムなどが格納されており、例えば、携帯電話機３０用のオペレーティングシステムが格納されている。また、ＲＡＭ３０９は、ＣＰＵ３１１のワークエリアとして用いられ、例えば、ＣＰＵ３１１により実行されるプログラムや、撮像部３０４によって撮像された画像データなどが一時的に格納される。
【００３１】
不揮発性メモリ３１０には、携帯電話機３０用のアプリケーションプログラムや、撮像部３０４によって撮像された画像データなどが格納される。また、この不揮発性メモリ３１０には、携帯電話機３０のユーザにより、当該携帯電話機３０とのデータ通信が許可された通信装置の通信アドレス、例えば、遠隔制御元の携帯電話機１０の移動機ＩＤ（電話番号やメールアドレス、シリアルナンバーなど）が許容発信元ＩＤとして登録されている。
【００３２】
ＣＰＵ３１１は、記憶部３０７に格納されている各種プログラムを実行することにより、バス３１２を介して接続されている装置各部を制御する。このＣＰＵ３１１は、本実施形態に特有な処理として、無線通信部３０１を介して受信した携帯電話機１０からの遠隔制御指令を無線通信インタフェース３０５を介して無線通信（Ｂｌｕｅｔｏｏｔｈ）によりホームサーバ４０へ転送する。また、ＣＰＵ３１１は、ホームサーバ４０あるいは携帯電話機１０からの指示に従って電子機器の状態を示す画像を撮像部３０４を用いて撮像し、撮像した画像データをパケット通信により移動パケット通信網２０を介して携帯電話機１０へ送信する。
【００３３】
＜３．ホームサーバの構成＞
図３は、図１に示されたホームサーバ４０のハードウェア構成を例示するブロック図である。同図に示されるように、ホームサーバ４０は、無線通信インタフェース４０１と、操作入力部４０２と、ＲＯＭ４０３と、ＲＡＭ４０４と、表示部４０５と、ＨＤ（Ｈａｒｄ　Ｄｉｓｋ）４０６と、通信インタフェース４０７と、ＣＰＵ４０８とを有しており、これらの各部はバス４０９により接続されている。
【００３４】
無線通信インタフェース４０１は、携帯電話機３０との間で行われる無線通信（Ｂｌｕｅｔｏｏｔｈ）を制御する。また、操作入力部４０２は、キーボードやマウスなどを有しており、これらのキーボードやマウスの操作に応じた操作信号をＣＰＵ４０８に出力する。
【００３５】
ＲＯＭ４０３には、ＩＰＬ（Ｉｎｉｔｉａｌ　Ｐｒｏｇｒａｍ　Ｌｏａｄｅｒ）などの装置各部の基本制御を司るプログラムが格納されている。また、ＲＡＭ４０４は、ＣＰＵ４０８のワークエリアとして用いられ、ＣＰＵ４０８により実行されるプログラムや、各種データが一時的に格納される。表示部４０５は、ＣＲＴ（Ｃａｔｈｏｄｅ−Ｒａｙ　Ｔｕｂｅ）やＬＣＤ（Ｌｉｑｕｉｄ　Ｃｒｙｓｔａｌ　Ｄｉｓｐｌａｙ）などである。
【００３６】
ＨＤ４０６には、ホームサーバ４０用のオペレーティングシステムや、当該ホームサーバ４０に接続された各電子機器５０ａ〜５０ｆを制御するためのプログラムやデータ、ユーザ認証用のパスワードなどが格納されている。
【００３７】
例えば、このＨＤ４０６には、携帯電話機１０から送信されてくる照明器具５０ａの照明ＯＦＦ指令（遠隔制御指令）に応じて、当該ホームサーバ４０が照明器具５０ａとの間でデータ通信を行うための通信制御プログラムや、上記照明ＯＦＦ指令の受信に応じて、実際に照明器具５０ａに送信する照明をＯＦＦに切換えるための操作信号に関するデータなどが格納されている。また、ＨＤ４０６には、携帯電話機１０から送信されてくるビデオデッキ５０ｂに対する録画指令（遠隔制御指令）に応じて、当該ホームサーバ４０がビデオデッキ５０ｂとの間でデータ通信を行うための通信制御プログラムや、上記録画指令の受信に応じて、実際にビデオデッキ５０ｂに送信する主電源をＯＮに切換えるための操作信号や、チャンネルを切換えるための操作信号、録画時刻を設定するための操作信号などに関するデータが格納されている。
【００３８】
これらの各電子機器５０ａ〜５０ｆを制御するためのプログラムやデータは、各電子機器５０ａ〜５０ｆをホームサーバ４０と接続してホームネットワークを構築する際にＨＤ４０６に格納される。この際、各電子機器５０ａ〜５０ｆを制御するためのプログラムやデータは、例えば、ＣＤ−ＲＯＭなどの記憶媒体から図示を省略した記憶媒体ドライブを介してＨＤ４０６に格納される構成であってもよいし、あるいはネットワークや通信回線を介して当該ホームサーバ４０に取得され、ＨＤ４０６に格納される構成であってもよい。
【００３９】
ＣＰＵ４０８は、ＲＯＭ４０３やＲＡＭ４０４、ＨＤ４０６に格納されている各種プログラムを実行することにより、バス４０９を介して接続されている装置各部を制御する。このＣＰＵ４０８は、本実施形態に特有な処理として、携帯電話機１０からの遠隔制御指令を無線通信インタフェース４０１を介して受信すると、ＨＤ４０６に格納されているデータを参照して制御対象となる電子機器に送信する操作信号を決定し、決定した操作信号を通信インタフェース４０７を介して電子機器へ送信する。
以上が本実施形態に係る通信システム１の構成である。
【００４０】
［Ａ−２．実施形態の動作］
次に、本実施形態の動作について説明する。
図４は、携帯電話機１０により電子機器の遠隔制御を行う場合の通信システム１各部の動作を例示するシーケンスチャートである。同図に示されるように、まず、外出先にて自宅内にある電子機器５０ａ〜５０ｆのいずれかを遠隔制御したいユーザは、自己の所持している携帯電話機１０の操作入力部を操作し、自宅内に設置されたホームサーバ４０へのアクセスを指示する。
【００４１】
このホームサーバ４０へのアクセスの指示は、例えば、携帯電話機１０において遠隔制御モードへの移行を指示することにより自動的に行われる。携帯電話機１０のメモリには、アクセス先（発信先）となる携帯電話機３０の通信アドレスが遠隔制御モードと対応付けられて予め格納されている。携帯電話機１０では、遠隔制御モードへの移行がキー操作により指示されると、遠隔制御モードと対応付けられてメモリに格納されている携帯電話機３０の通信アドレスを読み出して、この携帯電話機３０の通信アドレスと当該携帯電話機１０の移動機ＩＤ（発信元ＩＤ）を含んだアクセス要求を生成し、このアクセス要求を携帯電話機３０へ送信する（ステップＳ１０１）。
【００４２】
携帯電話機１０から送信されたアクセス要求は、当該携帯電話機１０が在圏している無線エリアをカバーする基地局２１によって受信され、移動パケット通信網２０内の基地局２２を介して携帯電話機３０へ送信される。携帯電話機３０のＣＰＵ３１１は、無線通信部３０１を介してアクセス要求を受信すると、当該アクセス要求に含まれている発信元ＩＤと不揮発性メモリ３１０に予め格納されている許容発信元ＩＤとを照合し、このアクセス要求に基づくデータ通信の可否を決定する。
【００４３】
ここで、携帯電話機３０の不揮発性メモリ３１０には、予め許容発信元ＩＤとして携帯電話機１０の移動機ＩＤが登録されている。したがって、携帯電話機３０のＣＰＵ３１１は、携帯電話機１０とのデータ通信を許可し、受信したアクセス要求を無線通信インタフェース３０５を介してローカル無線通信（Ｂｌｕｅｔｏｏｔｈ）によりホームサーバ４０へ転送する（ステップＳ１０２）。このように本実施形態における携帯電話機３０は、不揮発性メモリ３１０に登録されている許容発信元ＩＤを有する通信機器のみとしかデータ通信を行わない構成となっている。
【００４４】
ホームサーバ４０のＣＰＵ４０８は、無線通信インタフェース４０１を介してアクセス要求を受信すると、遠隔制御元となる携帯電話機１０との間で認証処理を実行する（ステップＳ１０３）。この認証処理においてＣＰＵ４０８は、まず、ユーザ認証を行うための認証画面データを無線通信インタフェース４０１から携帯電話機３０および移動パケット通信網２０を介して携帯電話機１０へ送信する。
【００４５】
携帯電話機１０は、ホームサーバ４０からの認証画面データを受信すると、当該認証画面データに基づく認証画面を液晶表示部に表示し、ユーザに対してパスワードの入力を促す。これに応じて図５（ａ）に示されるように、ユーザによってパスワードの入力が行われるとともに当該パスワードの送信が指示されると、携帯電話機１０は、入力されたパスワードを移動パケット通信網２０および携帯電話機３０を介してホームサーバ４０へ送信する。
【００４６】
そして、ホームサーバ４０のＣＰＵ４０８は、携帯電話機１０からのパスワードを受信すると、当該パスワードとＨＤ４０６に格納されているユーザ認証用のパスワードとを照合してユーザ認証を行う。このように本実施形態においては、ユーザ認証を行うことにより、ホームサーバ４０に登録されているパスワードを知らない限り、第三者がユーザ宅内の電子機器５０ａ〜５０ｆを勝手に遠隔制御することができないようになっている。
【００４７】
このユーザ認証の結果、両方のパスワードが一致せず、ユーザ認証が不成立であった場合、ホームサーバ４０のＣＰＵ４０８は、認証が不成立であったことを示すメッセージを携帯電話機１０へ送信し、電子機器の遠隔制御に関する処理を終了する。
【００４８】
一方、ホームサーバ４０のＣＰＵ４０８は、ユーザ認証の結果、両方のパスワードが一致し、認証が成立したと判別した場合は、次いで、遠隔制御を行う電子機器を選択するためのメニュー画面データ（メニューデータ）をＨＤ４０６から読み出す（ステップＳ１０４）。そして、ＣＰＵ４０８は、メニューデータを携帯電話機３０および移動パケット通信網２０を介して携帯電話機１０へ送信する（ステップＳ１０５）。
【００４９】
携帯電話機１０は、ホームサーバ４０からのメニューデータを受信すると、当該メニューデータに基づいてメニュー画面を液晶表示部に表示し、ユーザに対して遠隔制御する電子機器の選択を促す。これに応じて、図５（ｂ）に示されるように、キー操作により遠隔制御する電子機器が選択されると（ステップＳ１０６）、携帯電話機１０は、電子機器の選択情報をホームサーバ４０へ送信する（ステップＳ１０７）。なお、図５（ｂ）に示される画面表示例では、遠隔制御する電子機器として照明器具５０ａが選択された場合について示されている。
【００５０】
ホームサーバ４０のＣＰＵ４０８は、携帯電話機１０からの選択情報を受信すると、当該選択情報により指定された電子機器を遠隔制御するための指令入力画面データをＨＤ４０６から読み出した後（ステップＳ１０８）、当該指令入力画面データを携帯電話機１０へ送信する（ステップＳ１０９）。
【００５１】
そして、携帯電話機１０は、ホームサーバ４０からの指令入力画面データを受信すると、当該指令入力画面データに基づいて指令入力画面を液晶表示部に表示し、ユーザに対して遠隔制御の指令の入力を促す。これに応じて、図５（ｃ）に示されるように、キー操作により遠隔制御の指令が入力されると（ステップＳ１１０）、携帯電話機１０は、入力された遠隔制御指令をホームサーバ４０へ送信する（ステップＳ１１１）。なお、図５（ｃ）に示される画面表示例では、照明器具５０ａの照明を点灯させる旨の遠隔制御指令が入力された場合について示されている。
【００５２】
ホームサーバ４０のＣＰＵ４０８は、携帯電話機１０からの遠隔制御指令を受信すると、まず、制御対象となる電子機器用の通信制御プログラムをＨＤ４０６から読み出す。また、ＣＰＵ４０８は、ＨＤ４０６に格納されているデータを参照して制御対象の電子機器に送信する操作信号を決定し、決定した操作信号に関するデータをＨＤ４０６から読み出す。
【００５３】
次いで、ホームサーバ４０のＣＰＵ４０８は、ＨＤ４０６から読み出した通信制御プログラムを実行し、電子機器との間でホームバス４５を介してデータ通信を行い、電子機器に対して操作信号を送信する（ステップＳ１１２）。電子機器は、ホームサーバ４０から操作信号を受信すると、この操作信号に従って対応する処理を実行する（ステップＳ１１３）。例えば、照明器具５０ａに対して照明の点灯を指示する操作信号がホームサーバ４０から送信された場合、照明器具５０ａは、受信した操作信号に従って照明を点灯させる処理を実行する。
【００５４】
また、電子機器は、上記ステップＳ１１３の後、操作信号に応じた処理の実行を完了あるいは開始したことを示す完了通知をホームサーバ４０へ送信する（ステップＳ１１４）。ホームサーバ４０のＣＰＵ４０８は、電子機器からの完了通知を受信すると、遠隔制御元の携帯電話機１０に対して制御結果を通知するためのメッセージデータをＨＤ４０６から読み出す。そして、ＣＰＵ４０８は、ＨＤ４０６から読み出したメッセージデータおよび携帯電話機３０に対して画像の撮像を指示する撮像指令を含んだ完了通知を携帯電話機３０へ送信する（ステップＳ１１５）。
【００５５】
携帯電話機３０のＣＰＵ３１１は、ホームサーバ４０から完了通知を受信すると、当該完了通知に含まれている撮像指令に従って室内の画像を撮像する（ステップＳ１１６）。前述したように、ユーザは、例えば、外出先から照明器具５０ａとテレビ５０ｅの遠隔制御に伴う動作確認を画像を見て行いたい場合には、照明器具５０ａの点灯／消灯状態やテレビ５０ｅの画面が当該携帯電話機３０によって撮像される画像に写るように、携帯電話機３０を宅内に設置している。したがって、携帯電話機３０は、ホームサーバ４０からの撮像指令に応じて、遠隔制御された電子機器の状態を示す画像を撮像することができる。
【００５６】
この後、携帯電話機３０のＣＰＵ３１１は、撮像した画像データおよびホームサーバ４０から受信した制御結果のメッセージを含んだ完了通知を遠隔制御元の携帯電話機１０へ送信する（ステップＳ１１７）。携帯電話機１０は、携帯電話機３０からの完了通知を受信すると、まず、当該完了通知に含まれている制御結果を示すメッセージを液晶表示部に表示する。次いで、携帯電話機１０は、完了通知に含まれている画像データに基づいて携帯電話機３０により撮像された遠隔制御後の電子機器の状態を示す画像を液晶表示部に表示する（ステップＳ１１８）。
【００５７】
図６は、遠隔制御元となる携帯電話機１０の液晶表示部に表示される画面表示例である。同図（ａ）および（ｂ）に示される画面表示例は、携帯電話機１０からの照明器具５０ａの点灯指令に応じてホームサーバ４０により照明器具５０ａが制御された後、携帯電話機１０の液晶表示部に表示されるものである。
【００５８】
図６（ａ）に示されるように、まず、携帯電話機１０の液晶表示部には、照明器具５０ａを点灯した旨のメッセージ表示がなされる。この後、キー操作により画像確認が指示された場合に、液晶表示部の表示内容が図６（ｂ）に示される画像に切換えられる。同図（ｂ）に示される画像は、遠隔制御後に携帯電話機３０によって撮像されたユーザ宅内の様子が写されており、照明器具５０ａが点灯状態にあることがわかる。したがって、ユーザは、遠隔制御によって照明器具５０ａが点灯状態に切換えられたことを確認できる。このように、ユーザは、遠隔制御の結果を電子機器の状態が写された画像を見て確認することができる。
【００５９】
また、図７および図８は、遠隔制御元となる携帯電話機１０の液晶表示部に表示されるその他の画面表示例である。これらの図７および図８に示される各画面表示例は、携帯電話機１０からテレビ５０ｅの電源をＯＦＦにする旨の遠隔制御指令が送信され、この遠隔制御指令に従ってホームサーバ４０によりテレビ５０ｅの制御が行われる場合に、携帯電話機１０の液晶表示部に表示されるものである。
【００６０】
まず、図７（ａ）に示されるように、メニュー画面において遠隔制御する電子機器としてテレビ５０ｅが選択されると、次いで、携帯電話機１０の液晶表示部には、テレビ５０ｅ用の指令入力画面が表示される。ここで、図７（ｂ）に示されるように、キー操作によりテレビ５０ｅの電源をＯＦＦにする旨の遠隔制御指令が入力されると、この遠隔制御指令がホームサーバ４０へ送信され、ホームサーバ４０によりテレビ５０ｅの制御が行われる。なお、図７（ｂ）に示される画面表示例において破線で示される領域は、キー操作によって表示内容をスクロールさせることで画面内に表示される。
【００６１】
そして、遠隔制御指令に応じたテレビ５０ｅの制御がホームサーバ４０によって行われた後、携帯電話機１０の液晶表示部には、制御結果を示すメッセージが表示される。ここで、図８（ａ）に示されるように、キー操作により画像確認が指示されると、次いで、携帯電話機１０の液晶表示部には、図８（ｂ）に示されるように、遠隔制御後に携帯電話機３０によって撮像されたテレビ５０ｅの画像が表示される。同図（ｂ）の画面表示例では、テレビ５０ｅの画面に何も写っていないことから、遠隔制御によってテレビ５０ｅの電源がＯＦＦに切換えられたことが確認できる。
【００６２】
以上説明したように本実施形態によれば、遠隔制御元となる携帯電話機１０の液晶表示部には、遠隔制御後に携帯電話機３０によって撮像された電子機器の状態を示す画像が表示される。したがって、ユーザは、遠隔制御後の電子機器の状態が写された画像を見て遠隔制御の結果を確認することができる。また、本実施形態では、遠隔制御の結果を静止画像を用いてユーザに通知している。したがって、動画像を用いた場合に比べ、携帯電話機１０と携帯電話機３０とのデータ通信量が低減できるとともに携帯電話機１０，３０の構成を簡素化できる。
【００６３】
［Ｂ．変形例］
以上、本発明の実施形態について説明したが、この実施形態はあくまでも例示であり、本発明の趣旨から逸脱しない範囲で様々な変形が可能である。変形例としては、例えば以下のようなものが考えられる。
【００６４】
＜変形例１＞
上記実施形態では、遠隔制御後の電子機器の状態を写した画像のみを携帯電話機１０の液晶表示部に表示する場合について説明した。しかしながら、遠隔制御前と遠隔制御後の電子機器の状態を写した画像を携帯電話機１０の液晶表示部に表示する構成であってもよい。
【００６５】
図９は、本変形例に係る通信システム１各部の動作を例示するシーケンスチャートである。なお、同図に示されるシーケンスチャートにおいて、ステップＳ２０１〜Ｓ２０３までの処理は、上記実施形態において図４に示されたシーケンスチャートのステップＳ１０１〜Ｓ１０３までと同じであるので説明を省略する。
【００６６】
ホームサーバ４０のＣＰＵ４０８は、ステップＳ２０３においてユーザ認証が成立したと判別した後、まず、携帯電話機３０に対して画像の撮像を指示する撮像指令を送信する（ステップＳ２０４）。携帯電話機３０のＣＰＵ３１１は、ホームサーバ４０から撮像指令を受信すると、当該撮像指令に従って遠隔制御を行う前のユーザ宅内の画像を撮像し（ステップＳ２０５）、撮像した画像データを不揮発性メモリ３１０に格納する。当然であるが、上記ステップＳ２０５において携帯電話機３０により撮像された画像には、遠隔制御の対象となる電子機器の状態が写されている。
【００６７】
この後、図９のシーケンスチャートに示されるステップＳ２０６〜Ｓ２１７までの処理は、上記実施形態において図４に示されたシーケンスチャートのステップＳ１０４〜Ｓ１１５までと同じであるので説明を省略する。
【００６８】
携帯電話機３０のＣＰＵ３１１は、ステップＳ２１７においてホームサーバ４０から完了通知を受信すると、まず、当該完了通知に含まれている撮像指令に従ってユーザ宅内の画像を撮像する（ステップＳ２１８）。当然、この画像には、遠隔制御後の電子機器の状態が写されている。次いで、ＣＰＵ３１１は、不揮発性メモリ３１０から遠隔制御前に撮像した画像を読み出す。
【００６９】
そして、携帯電話機３０のＣＰＵ３１１は、遠隔制御前と遠隔制御後に撮像した２つの画像データおよびホームサーバ４０から受信した制御結果のメッセージを含んだ完了通知を遠隔制御元の携帯電話機１０へ送信する（ステップＳ２１９）。携帯電話機１０は、携帯電話機３０からの完了通知を受信すると、まず、当該完了通知に含まれている制御結果のメッセージを液晶表示部に表示する。次いで、携帯電話機１０は、完了通知に含まれている２つの画像データに基づいて、携帯電話機３０により撮像された遠隔制御前と遠隔制御後の２つの画像を液晶表示部に表示する（ステップＳ２２０）。
【００７０】
図１０は、遠隔制御元となる携帯電話機１０の液晶表示部に表示される画面表示例である。同図（ａ）および（ｂ）に示される画面表示例は、携帯電話機１０からのテレビ５０ｅの電源をＯＦＦする旨の遠隔制御指令に応じてホームサーバ４０によりテレビ５０ｅが制御された後、携帯電話機１０に表示されるものである。
【００７１】
携帯電話機１０の液晶表示部には、テレビ５０ｅの電源をＯＦＦにしたことを示すメッセージ表示がなされた後、まず、図１０（ａ）に示されるように、遠隔制御を行う前に携帯電話機３０によって撮像された画像がメッセージ「制御前」とともに表示される。同図（ａ）に示される画面表示例では、テレビ５０ｅの画面に人物が写っており、テレビ５０ｅの電源がＯＮになっていることがわかる。この後、例えば１秒などの所定時間経過後、あるいはキー操作により画像の切換えが指示されると、携帯電話機１０の液晶表示部には、図１０（ｂ）に示されるように、遠隔制御後に携帯電話機３０によって撮像された画像がメッセージ「制御後」とともに表示される。同図（ｂ）に示される画面表示例では、テレビ５０ｅの画面に何も写っていないことから、遠隔制御によってテレビ５０ｅの電源がＯＦＦに切換えられたことが確認できる。
【００７２】
以上説明したように、遠隔制御元となる携帯電話機１０の液晶表示部に、遠隔制御前と遠隔制御後における電子機器の状態を写した画像を表示する構成としてもよい。このような構成とすれば、ユーザは、遠隔制御前と遠隔制御後の画像を比較することにより遠隔制御の結果を確認することができる。したがって、画像による遠隔制御の結果確認が容易である。なお、遠隔制御前の画像と遠隔制御後の画像を１画面内に並べて表示する表示形態などであってもよい。
【００７３】
また、上記ステップ２０５の処理の後、携帯電話機３０により撮像された遠隔制御前の画像データを遠隔制御元の携帯電話機１０へ送信し、遠隔制御前の画像を遠隔制御を行う前の段階で携帯電話機１０の液晶表示部に表示する構成としてもよい。このような構成とすれば、遠隔制御を行う前の段階で、現時点におけるユーザ宅内の各電子機器の状態を写した画像を携帯電話機１０の液晶表示部に表示することができる。よって、ユーザは、遠隔制御を行う前に各電子機器の状態を画像を見て確認することができる。
【００７４】
＜変形例２＞
上記実施形態および変形例１では、電子機器の状態を写した静止画像を遠隔制御元となる携帯電話機１０の液晶表示部に表示する場合について説明した。しかしながら、遠隔制御前から遠隔制御後にかけての電子機器の状態を示す映像（動画）を携帯電話機１０の液晶表示部に表示する構成であってもよい。
【００７５】
図１１は、本変形例に係る通信システム１各部の動作を例示するシーケンスチャートである。なお、本変形例において、ユーザ宅内に設置される携帯電話機３０は、撮像部３０４を用いて映像（動画）を録画する機能を有している。また、遠隔制御元となる携帯電話機１０は、動画データを再生する機能を有している。
【００７６】
同図に示されるシーケンスチャートにおいて、ステップＳ３０１〜Ｓ３０９までの処理は、上記実施形態において図４に示されたシーケンスチャートのステップＳ１０１〜Ｓ１０９までと同じであるので説明を省略する。
【００７７】
ホームサーバ４０のＣＰＵ４０８は、ステップＳ３０９において電子機器を遠隔制御するための指令入力画面データを携帯電話機１０へ送信した後、携帯電話機３０に対して動画の録画開始を指示する録画開始指令を送信する（ステップＳ３１０）。携帯電話機３０のＣＰＵ３１１は、ホームサーバ４０から録画開始指令を受信すると、当該録画開始指令に従ってユーザ宅内の映像の録画を開始する（ステップＳ３１１）。これにより携帯電話機３０は、遠隔制御を行う前の段階から電子機器の状態を録画して動画データを生成することができる。
【００７８】
この後、図１１のシーケンスチャートに示されるステップＳ３１２〜Ｓ３１６までの処理は、上記実施形態において図４に示されたシーケンスチャートのステップＳ１１０〜Ｓ１１４までと同じであるので説明を省略する。
【００７９】
ホームサーバ４０のＣＰＵ４０８は、ステップＳ３１６において電子機器から送信された完了通知を受信すると、遠隔制御元の携帯電話機１０に対して制御結果を通知するためのメッセージデータをＨＤ４０６から読み出す。次いで、ＣＰＵ４０８は、ＨＤ４０６から読み出したメッセージデータおよび携帯電話機３０に対して録画終了を指示する録画終了指令を含んだ完了通知を携帯電話機３０へ送信する（ステップＳ３１７）。
【００８０】
携帯電話機３０のＣＰＵ３１１は、ホームサーバ４０から完了通知を受信すると、当該完了通知に含まれている録画終了指令に従って録画を終了する（ステップＳ３１８）。この際、ＣＰＵ３１１は、録画終了指令の受信に応じて直ちに録画を終了するのではなく、録画終了指令を受信した後、例えば１０秒などの所定期間が経過してから録画を終了する構成であってもよい。
【００８１】
そして、携帯電話機３０のＣＰＵ３１１は、遠隔制御前から遠隔制御後にかけて録画した動画データおよびホームサーバ４０から受信した制御結果のメッセージを含んだ完了通知を遠隔制御元の携帯電話機１０へ送信する（ステップＳ３１９）。携帯電話機１０は、携帯電話機３０からの完了通知を受信すると、まず、当該完了通知に含まれている制御結果のメッセージを液晶表示部に表示する。次いで、携帯電話機１０は、完了通知に含まれている動画データの再生を実行し、携帯電話機３０により録画された遠隔制御前から遠隔制御後にかけての電子機器の状態を写した映像を液晶表示部に表示する（ステップＳ３２０）。
【００８２】
以上説明したように、遠隔制御元となる携帯電話機１０の液晶表示部に、遠隔制御前から遠隔制御後にかけて録画された電子機器の状態を写した映像を表示する構成としてもよい。このような構成とすれば、ユーザは、自己が指示した指令通り電子機器の遠隔制御が行われたか否かを映像を見て確認することができる。
【００８３】
＜変形例３＞
さらに、遠隔制御前から遠隔制御後にかけて携帯電話機３０において撮像される映像をリアルタイムで遠隔制御元の携帯電話機１０へ中継する構成であってもよい。
【００８４】
図１２は、本変形例に係る通信システム１各部の動作を例示するシーケンスチャートである。同図に示されるシーケンスチャートにおいて、ステップＳ４０１〜Ｓ４０９までの処理は、上記実施形態において図４に示されたシーケンスチャートのステップＳ１０１〜Ｓ１０９までと同じであるので説明を省略する。
【００８５】
ホームサーバ４０のＣＰＵ４０８は、ステップＳ４０９において電子機器を遠隔制御するための指令入力画面データを携帯電話機１０へ送信した後、携帯電話機３０に対して映像の中継開始を指示する中継開始指令を送信する（ステップＳ４１０）。
【００８６】
携帯電話機３０のＣＰＵ３１１は、ホームサーバ４０から中継開始指令を受信すると、まず、携帯電話機１０との間で映像のリアルタイム送信を行うためのパケット通信環境を確立する。次いで、携帯電話機３０のＣＰＵ３１１は、ユーザ宅内の映像の撮像を開始するとともに、撮像された映像データをパケット通信により逐次、携帯電話機１０に送信し、映像の中継を開始する（ステップＳ４１１）。
【００８７】
携帯電話機１０は、携帯電話機３０からの映像データを逐次受信し、当該映像データに基づく映像を液晶表示部に表示する（ステップＳ４１２）。この携帯電話機１０における中継映像の表示は、携帯電話機３０において実行されている映像の中継処理が終了するまで継続して行われる。なお、遠隔制御を指令するためのメニューデータなどは、画面の一部または中継映像に重ね合わされて携帯電話機１０の液晶表示部に表示される。
【００８８】
この後、図１２のシーケンスチャートに示されるステップＳ４１３〜Ｓ４１７までの処理は、上記実施形態において図４に示されたシーケンスチャートのステップＳ１１０〜Ｓ１１４までと同じであるので説明を省略する。
【００８９】
ホームサーバ４０のＣＰＵ４０８は、ステップＳ４１７において電子機器から送信された完了通知を受信すると、遠隔制御元の携帯電話機１０に対して制御結果を通知するためのメッセージデータをＨＤ４０６から読み出す。次いで、ＣＰＵ４０８は、ＨＤ４０６から読み出したメッセージデータおよび携帯電話機３０に対して映像の中継終了を指示する中継終了指令を含んだ完了通知を携帯電話機３０へ送信する（ステップＳ４１８）。
【００９０】
携帯電話機３０のＣＰＵ３１１は、ホームサーバ４０から完了通知を受信すると、まず、当該完了通知に含まれている制御結果のメッセージを含んだ完了通知を遠隔制御元の携帯電話機１０へ送信する（ステップＳ４１９）。携帯電話機１０は、携帯電話機３０からの完了通知を受信すると、当該完了通知に含まれている制御結果のメッセージを中継映像とともに液晶表示部に表示する。
【００９１】
また、携帯電話機３０のＣＰＵ３１１は、上記ステップＳ４１８においてホームサーバ４０からの完了通知を受信すると、タイマカウンタを用いた時間の計時処理を開始している。そして、ＣＰＵ３１１は、計時時間が、例えば１０秒などの所定時間に達すると、携帯電話機１０に対する映像の中継処理を終了し（ステップＳ４２０）、中継完了通知を携帯電話機１０へ送信する（ステップＳ４２１）。これにより携帯電話機１０における中継映像の表示が終了する。
【００９２】
以上説明したように、遠隔制御元となる携帯電話機１０の液晶表示部に、遠隔制御前から遠隔制御後にかけての電子機器の状態を写した映像をリアルタイムで中継表示する構成としてもよい。このような構成とすれば、ユーザは、自己が指示した指令通り電子機器の遠隔制御が行われたか否かを中継映像を見て確認することができる。
【００９３】
＜変形例４＞
上記変形例２において、映像の録画とともに音声を録音し、当該録音された録音データを遠隔制御元の携帯電話機１０へ送信する構成としてもよい。この場合、携帯電話機３０は、マイクロフォンにより室内の音（音声）を集音して録音する機能を有している。この録音機能として、例えば、ハンズフリー機能を利用することが有用である。また、遠隔制御元の携帯電話機１０は、携帯電話機３０から受信した音声データに基づいて音声を出力する機能を有している。この音声出力機能として、例えば受話音声を出力するための機能が利用可能である。
【００９４】
また、音声の録音開始タイミングおよび録音終了タイミングは、上記変形例２において図１１に示されたシーケンスチャートの動画の録画開始タイミング（ステップＳ３１１）および録画終了タイミング（ステップＳ３１８）と同じであればよい。このような構成とすれば、例えば、テレビ５０ｅやオーディオ機器５０ｃなどに対する遠隔制御を行った際に、ユーザは、その制御結果を音声を聞くことにより確認することができる。また、同様にして、上記変形例３において映像とともに音声も携帯電話機３０からリアルタイムで遠隔制御元の携帯電話機１０へ中継する構成であってもよい。
【００９５】
＜変形例５＞
上記実施形態および変形例１〜４では、電子機器の状態を示す画像の撮像や動画の録画、音声の録音を携帯電話機３０を用いて行う場合について説明した。しかしながら、これらの画像の撮像や動画の録画、音声の録音は、画像撮像機能や動画録画機能あるいは音声録音機能を有する監視装置を用いて行えばよく、携帯電話機に限定されるものではない。また、これらの機能を有する監視装置を携帯電話機に接続した形態であってもよい。また、監視装置は、常時、動画の録画や音声の録音を行っている形態であってもよい。
【００９６】
さらに、例えば、図１３に示される通信システム２のように、移動パケット通信網２０を介して遠隔制御元の携帯電話機１０と直接、パケット通信を行うことが可能なホームサーバ４１の場合、監視装置３１は、ホームサーバ４１と無線通信あるいは有線通信によりデータ通信を行うことが可能な構成であればよい。この場合、監視装置３１により取得された画像データや動画データあるいは録音データは、一旦、ホームサーバ４１に送信され、ホームサーバ４１から遠隔制御元の携帯電話機１０へ送信される。
【００９７】
＜変形例６＞
上記実施形態および変形例１〜４では、電子機器の状態を示す画像データや音声データを携帯電話機３０が遠隔制御元の携帯電話機１０へ送信する場合について説明した。しかしながら、これらの画像データや音声データは、ホームサーバ４０のＨＤ４０６に蓄積され、携帯電話機１０からのアクセスに応じてホームサーバ４０から携帯電話機１０へ送信される構成であってもよい。このような構成とすれば、ユーザは、画像や音声による制御結果の確認を任意の時間に行うことができる。また、ユーザは、画像や音声により制御結果を確認したい場合にのみ、携帯電話機１０を用いてホームサーバ４０へアクセスすればよい。
【００９８】
さらに、図１４に示される通信システム３のように、携帯電話機３０によって取得された画像データや音声データをインターネット６０に接続されたＷｅｂ（Ｗｏｒｌｄ　Ｗｉｄｅ　Ｗｅｂ）サーバ７０に蓄積し、携帯電話機１０からのアクセスに応じてＷｅｂサーバ７０が画像データや音声データを携帯電話機１０へ送信する構成としてもよい。この場合、携帯電話機１０は、Ｗｅｂブラウザの機能を有している。
【００９９】
＜変形例７＞
上記実施形態では、遠隔制御元の通信端末として携帯電話機１０を用いた場合について説明した。しかしながら、遠隔制御元の通信端末は、携帯電話機１０に限定されるものではなく、例えば、移動パケット通信網２０を介してデータ通信を行うことが可能なＰＤＡ（Ｐｅｒｓｏｎａｌ　Ｄｉｇｉｔａｌ　Ａｓｓｉｓｔａｎｔ）やモバイルコンピュータなどであってもよい。また、ＰＨＳ（Ｐｅｒｓｏｎａｌ　Ｈａｎｄｙｐｈｏｎｅ　Ｓｙｓｔｅｍ：登録商標）端末であってもよい。
【０１００】
＜変形例８＞
また、上記実施形態では、携帯電話機３０とホームサーバ４０とがＢｌｕｅｔｏｏｔｈによる無線通信によりデータ通信を行う場合について説明した。しかしながら、ＨｏｍｅＲＦ（Ｈｏｍｅ　Ｒａｄｉｏ　Ｆｒｅｑｕｅｎｃｙ）などの近距離無線通信や赤外線通信、通信ケーブルを用いた有線通信により携帯電話機３０とホームサーバ４０とのデータ通信が行われる構成であってもよい。さらに、上記実施形態では、ホームサーバ４０と各電子機器５０ａ〜５０ｆとがホームバス４５により接続され、有線通信によりデータの送受信を行う場合について説明した。しかしながら、ＨｏｍｅＲＦ、Ｂｌｕｅｔｏｏｔｈなどの無線通信や赤外線通信を用いてホームサーバ４０と各電子機器５０ａ〜５０ｆとがデータ通信を行う構成であってもよい。
【０１０１】
【発明の効果】
以上説明したように本発明によれば、電子機器の遠隔制御を行った場合に、少なくとも遠隔制御後の電子機器の状態を写した画像をユーザに通知することができる。したがって、遠隔制御を指令したユーザは、遠隔制御後の電子機器の状態が写された画像を見て制御結果を確認することができる。
【図面の簡単な説明】
【図１】この発明の実施形態に係る通信システムの構成を例示するブロック図である。
【図２】同実施形態に係る携帯電話機のハードウェア構成を例示するブロック図である。
【図３】同実施形態に係るホームサーバのハードウェア構成を例示するブロック図である。
【図４】同実施形態に係る携帯電話機により電子機器の遠隔制御を行う場合の通信システム各部の動作を例示するシーケンスチャートである。
【図５】同実施形態に係る遠隔制御元の携帯電話機の液晶表示部に表示される画面表示例（その１）を示す図である。
【図６】同実施形態に係る遠隔制御元の携帯電話機の液晶表示部に表示される画面表示例（その２）を示す図である。
【図７】同実施形態に係る遠隔制御元の携帯電話機の液晶表示部に表示される画面表示例（その３）を示す図である。
【図８】同実施形態に係る遠隔制御元の携帯電話機の液晶表示部に表示される画面表示例（その４）を示す図である。
【図９】本発明の変形例１において、携帯電話機により電子機器の遠隔制御を行う場合の通信システム各部の動作を例示するシーケンスチャートである。
【図１０】本発明の変形例１に係る遠隔制御元の携帯電話機に表示される画面表示例を示す図である。
【図１１】本発明の変形例２において、携帯電話機により電子機器の遠隔制御を行う場合の通信システム各部の動作を例示するシーケンスチャートである。
【図１２】本発明の変形例３において、携帯電話機により電子機器の遠隔制御を行う場合の通信システム各部の動作を例示するシーケンスチャートである。
【図１３】本発明の変形例５に係る通信システムの構成を例示するブロック図である。
【図１４】本発明の変形例６に係る通信システムの構成を例示するブロック図である。
【図１５】従来、ホームネットワーク内の電子機器を携帯端末から遠隔制御する場合に、遠隔制御元となる携帯端末に表示される画面表示例を示す図である。
【符号の説明】
１，２，３……通信システム、１０……携帯電話機、２０……移動パケット通信網、３０……携帯電話機、３１……監視装置、４０，４１……ホームサーバ、４５……ホームバス、５０ａ……照明器具、５０ｂ……ビデオデッキ、５０ｃ……オーディオ機器、５０ｄ……エアコン、５０ｅ……テレビ、５０ｆ……洗濯機、６０……インターネット、７０……Ｗｅｂサーバ、３０１……無線通信部、３０１ａ……アンテナ、３０２……操作入力部、３０３……通話処理部、３０４……撮像部、３０５……無線通信インタフェース、３０６……液晶表示部、３０７……記憶部、３０８……ＲＯＭ、３０９……ＲＡＭ、３１０……不揮発性メモリ、３１１……ＣＰＵ、３１２……バス、４０１……無線通信インタフェース、４０２……操作入力部、４０３……ＲＯＭ、４０４……ＲＡＭ、４０５……表示部、４０６……ＨＤ、４０７……通信インタフェース、４０８……ＣＰＵ、４０９……バス。
【図１】
2004096397.tif 000003
【図２】
2004096397.tif 000004
【図３】
2004096397.tif 000005
【図４】
2004096397.tif 000006
【図５】
2004096397.tif 000007
【図６】
2004096397.tif 000008
【図７】
2004096397.tif 000009
【図８】
2004096397.tif 000010
【図９】
2004096397.tif 000011
【図１０】
2004096397.tif 000012
【図１１】
2004096397.tif 000013
【図１２】
2004096397.tif 000014
【図１３】
2004096397.tif 000015
【図１４】
2004096397.tif 000016
【図１５】
2004096397.tif 000017